(57)【特許請求の範囲】
【請求項１】
プロジェクターであって、
第１の光を出射する光源部、及び、画像情報に応じて、前記第１の光を変調した第２の光を出射する光変調部を有し、投射レンズを通じて、前記第２の光を投射面に投射する投射部と、
前記投射レンズの種類を示す種類情報と、前記プロジェクターの動作を設定する際に使用するパラメーターとを対応付けて記憶する記憶部と、
前記投射レンズが、第１の種類の第１の投射レンズであるか、前記第１の投射レンズとは異なる第２の種類の第２の投射レンズであるかを判別する判別部と、
前記投射レンズが前記第１の種類の投射レンズであることを示す情報、又は、前記投射レンズが前記第２の種類の投射レンズであることを示す情報を含むレンズ情報の入力を受け付ける入力受付部と、
前記投射レンズが、前記第１の投射レンズであるか前記第２の投射レンズであるかに対応して、前記プロジェクターの動作を設定する設定部と、を備え、
前記記憶部は、前記第１の種類の投射レンズを示す前記種類情報に対応する第１のパラメーターと、前記第２の種類の投射レンズを示す前記種類情報に対応する第２のパラメーターを記憶し、
前記入力受付部は、
前記判別部が判別できない場合に、前記レンズ情報の入力を行うためのメニュー画面を前記投射部により投射させ、ユーザーによる前記種類情報の選択の操作を受け付け、前記投射レンズが、前記操作により選択された前記種類情報が示す種類の投射レンズであることを示すレンズ情報を受け付け、
前記メニュー画面には、複数の前記種類情報が前記操作により選択可能に表示され、
前記設定部は、
前記判別部が判別できない場合に、
前記投射レンズが前記第１の種類の投射レンズであることを示すレンズ情報を受け付けた場合、前記第１のパラメーターによって前記プロジェクターの動作を設定し、前記投射レンズが前記第２の種類の投射レンズであることを示すレンズ情報を受け付けた場合、前記第２のパラメーターによって前記プロジェクターの動作を設定する
こと特徴とするプロジェクター。
【請求項２】
前記設定部は、
前記判別部が判別できた場合、判別結果に基づいて設定を行い、
前記判別部が判別できない場合、入力受付部が入力を受け付けた前記レンズ情報に基づいて設定する、
ことを特徴とする請求項１に記載のプロジェクター。
【請求項３】
前記パラメーターは、前記画像情報を処理する画像パラメーターを含み、
前記投射レンズが前記第１の投射レンズである場合、前記第１のパラメーターに含まれる前記第１の画像パラメーターを用いて前記画像情報を処理し、前記投射レンズが前記第２の投射レンズである場合に前記第１の画像パラメーターと異なる前記第２のパラメーターに含まれる前記第２の画像パラメーターを用いて前記画像情報を処理する画像情報処理部を備え、
前記設定部は、前記画像情報処理部が使用する前記第１の画像パラメーター、又は、前記第２の画像パラメーターを設定する、
ことを特徴とする請求項１又は２に記載のプロジェクター。
【請求項４】
前記パラメーターは、レンズパラメーターを含み、
前記レンズパラメーターに従って、前記投射レンズを駆動するレンズ駆動部を備え、
前記設定部は、
前記投射レンズが前記第１の種類の投射レンズであるか、前記投射レンズが前記第２の種類の投射レンズであるかに対応して、前記レンズ駆動部の動作に係る前記レンズパラメーターを設定する、
ことを特徴とする請求項１又は２に記載のプロジェクター。
【請求項５】
前記入力受付部は、
前記判別部が判別した場合、前記メニュー画面に対する入力を受け付けない、
ことを特徴とする請求項１から４のいずれか一項に記載のプロジェクター。
【請求項６】
第１の光を出射する光源部、及び、画像情報に応じて、前記第１の光を変調した第２の光を出射する光変調部を有し、投射レンズを通じて、前記第２の光を投射面に投射する投射部と、を備えるプロジェクターの制御方法であって、
前記投射レンズの種類を示す種類情報と、前記プロジェクターの動作を設定する際に使用するパラメーターとを対応付けて記憶するよう機能し、
前記投射レンズが第１の種類の第１の投射レンズであるか、前記第１の投射レンズとは異なる第２の種類の第２の投射レンズであるかを判別するよう機能し、
前記投射レンズが前記第１の種類の投射レンズであることを示す情報、又は、前記第２の種類の投射レンズであることを示す情報を含むレンズ情報の入力を受け付けるよう機能し、
前記投射レンズが、前記第１の投射レンズであるか前記第２の投射レンズであるかに対応して、前記プロジェクターの動作を設定するよう機能し、
前記第１の種類の投射レンズを示す前記種類情報に対応する第１のパラメーターと、前記第２の種類の投射レンズを示す前記種類情報に対応する第２のパラメーターを記憶し、
前記投射レンズが前記第１の投射レンズであるか前記第２の投射レンズであるかを判別できない場合に、前記レンズ情報の入力を行うためのメニュー画面を前記投射部により投射させ、ユーザーによる前記種類情報の選択の操作を受け付け、前記投射レンズが、前記操作により選択された前記種類情報が示す種類の投射レンズであることを示すレンズ情報を受け付け、
前記投射レンズが前記第１の種類の投射レンズであることを示すレンズ情報を受け付けた場合、前記第１のパラメーターによって前記プロジェクターの動作を設定し、前記投射レンズが前記第２の種類の投射レンズであることを示すレンズ情報を受け付けた場合、前記第２のパラメーターによって前記プロジェクターの動作を設定する
こと特徴とするプロジェクターの制御方法。
【発明の詳細な説明】
【技術分野】
【０００１】
本発明は、プロジェクター、及び、プロジェクターの制御方法に関する。
【背景技術】
【０００２】
従来、通常の投射レンズ、広角レンズ、望遠レンズ等、光学特性が異なる投射レンズを交換して装着できるプロジェクターが知られている（例えば特許文献１参照）。特許文献１は、装着された投射レンズの種類を自動で取得し、取得した投射レンズの種類に応じて、画像処理に用いるパラメーターを設定するプロジェクターを開示する。
【先行技術文献】
【特許文献】
【０００３】
【特許文献１】特開２００５−３０１３１７号公報
【発明の概要】
【発明が解決しようとする課題】
【０００４】
しかしながら、特許文献１に記載のプロジェクターは、投射レンズの種類の取得に失敗することが懸念される。その一方で、プロジェクターを起動する毎に、手動で投射レンズの種類を設定する構成にすると、操作の負担が増す。
そこで、本発明は、投射レンズの種類に対応して、プロジェクターの動作に関する設定を適切に行えるようにすることを目的とする。
【課題を解決するための手段】
【０００５】
上記目的を達成するために、本発明は、プロジェクターであって、第１の光を出射する光源部、及び、画像情報に応じて、前記第１の光を変調した第２の光を出射する光変調部を有し、投射レンズを通じて、前記第２の光を投射面に投射する投射部と、前記投射レンズが、第１の投射レンズであるか、前記第１の投射レンズとは異なる第２の投射レンズであるかを判別する判別部と、前記投射レンズが前記第１の投射レンズであることを示す情報、又は、前記投射レンズが前記第２の投射レンズであることを示す情報を含むレンズ情報の入力を受け付ける入力受付部と、前記投射レンズが、前記第１の投射レンズであるか前記第２の投射レンズであるかに対応して、前記プロジェクターの動作を設定する設定部と、を備え、前記入力受付部は、前記判別部が判別できない場合に、前記レンズ情報の入力を受け付けることを特徴とする。
この構成によると、投射レンズが第１の投射レンズであるか第２の投射レンズであるかを判別できない場合に、レンズ情報の入力を受け付ける。そのため、投射レンズの種類に対応して、プロジェクターの動作に関する設定を適切に行うことができる。
【０００６】
また、本発明は、前記設定部は、前記判別部が判別できた場合、判別結果に基づいて設定を行い、前記判別部が判別できない場合、入力受付部が入力を受け付けた前記レンズ情報に基づいて設定することを特徴とする。
この構成によると、判別部が判別できた場合に判別結果に基づいて設定を行い、判別部が判別できない場合にレンズ情報に基づいて設定を行うため、判別部が判別の可否に係らず、投射レンズに対応して、プロジェクターの動作に関する設定を適切に行うことができる。
【０００７】
また、本発明は、前記投射レンズが前記第１の投射レンズである場合、第１のパラメーターを用いて前記画像情報を処理し、前記投射レンズが前記第２の投射レンズである場合に前記第１のパラメーターと異なる第２のパラメーターを用いて前記画像情報を処理する画像情報処理部を備え、前記設定部は、前記画像情報処理部が使用する前記第１のパラメーター、又は、前記第２のパラメーターを設定することを特徴とする。
この構成によると、投射レンズが第１の投射レンズである場合に、画像情報処理部が使用するパラメーターを第１のパラメーターに設定し、投射レンズが第２の投射レンズである場合に、第２のパラメーターに設定する。そのため、投射レンズの種類に対応したパラメーターによって画像情報を処理できる。
【０００８】
また、本発明は、パラメーターに従って、前記投射レンズを駆動するレンズ駆動部を備え、前記設定部は、前記投射レンズが前記第１の投射レンズであるか、前記投射レンズが前記第２の投射レンズであるかに対応して、前記レンズ駆動部の動作に係るパラメーターを設定することを特徴とする。
この構成によると、投射レンズが第１の投射レンズであるか第２の投射レンズであるかに対応して、レンズ駆動部の動作に係るパラメーターを設定するため、第１の投射レンズか第２の投射レンズかに対応して、投射レンズを駆動できる。
【０００９】
また、本発明は、前記入力受付部は、前記判別部が判別できない場合、前記レンズ情報の入力を行うためのメニュー画面を前記投射部により投射させることを特徴とする。
この構成によると、レンズ情報の入力を行うためのメニュー画面を投射部により投射するため、投射レンズの種類を判別できない場合であっても、ユーザーによる当該種類の入力により、投射レンズの種類を設定できる。
【００１０】
また、本発明は、前記入力受付部は、前記判別部が判別した場合、前記メニュー画面に対する入力を受け付けないことを特徴とする。
この構成によると、投射レンズの判別をした場合、メニュー画面に対する入力を受け付けないため、自動で投射レンズの種類を取得したにも係らずユーザーがメニュー画面を操作し、誤った投射レンズの種類が設定するといった事態の発生を防止できる。
【００１１】
上記目的を達成するために、本発明は、第１の光を出射する光源部、及び、画像情報に応じて、前記第１の光を変調した第２の光を出射する光変調部を有し、投射レンズを通じて、前記第２の光を投射面に投射する投射部と、を備えるプロジェクターの制御方法であって、前記投射レンズが第１の投射レンズであるか、前記第１の投射レンズとは異なる第２の投射レンズであるかを判別するよう機能し、前記投射レンズが前記第１の投射レンズであることを示す情報、又は、前記第２の投射レンズであることを示す情報を含むレンズ情報の入力を受け付けるよう機能し、前記投射レンズが、前記第１の投射レンズであるか前記第２の投射レンズであるかに対応して、前記プロジェクターの動作を設定するよう機能し、前記投射レンズが前記第１の投射レンズであるか前記第２の投射レンズであるかを判別できない場合に、前記レンズ情報の入力を受け付けることを特徴とする。
この構成によると、投射レンズが第１の投射レンズであるか第２の投射レンズであるかを判別できない場合に、投射レンズが第１の投射レンズであること又は第２の投射レンズであることを示す情報の入力を受け付ける。そのため、投射レンズの種類に対応して、プロジェクターの動作に関する設定を適切に行うことができる。
【図面の簡単な説明】
【００１２】
【図１】プロジェクターの構成を示すブロック図。
【図２】プロジェクターの動作を示すフローチャート。
【図３】メニュー画面の一例を示す図。
【発明を実施するための形態】
【００１３】
以下、図面を参照して本発明の実施形態について説明する。
図１は、プロジェクター１００の構成を示す図である。
【００１４】
プロジェクター１００は、投射対象に画像光を投射して、投射対象の面に画像データ（画像情報）に基づく画像を形成する。プロジェクター１００が画像を投射する投射対象は、平面であっても曲面や凹凸面であってもよいが、本実施形態では、平面で構成されるスクリーンＳＣ（投射面）に投射する場合を例示する。スクリーンＳＣは、壁面等の固定された平面を利用してもよいし、吊り上げ式や立ち上げ式等の幕状のスクリーンであってもよい。プロジェクター１００は、画像光を投射する投射開口部（不図示）が設けられる。投射開口部は、プロジェクター１００に内蔵される投射光学系１１３が光を放射する開口部である。
【００１５】
図１に示すように、プロジェクター１００は、インターフェイス部（以下、Ｉ／Ｆ部と略記する）１２４を備える。Ｉ／Ｆ部１２４は、例えば、デジタル映像信号が入力されるＤＶＩインターフェイス、ＵＳＢインターフェイス、ＬＡＮインターフェイス等を用いることができる。また、Ｉ／Ｆ部１２４には、例えば、ＮＴＳＣや、ＰＡＬ、ＳＥＣＡＭ等のコンポジット映像信号が入力されるＳ映像端子や、コンポジット映像が入力されるＲＣＡ端子、コンポーネント映像信号が入力されるＤ端子等を用いることができる。さらに、Ｉ／Ｆ部１２４には、ＨＤＭＩ（登録商標）規格に従ったＨＤＭＩコネクター等の汎用インターフェイスを用いることができる。
【００１６】
プロジェクター１００は、大きく分けて光学的な画像の形成を行う投射部１１０と、この投射部１１０に入力される画像信号を電気的に処理する画像処理系と、を備える。
【００１７】
投射部１１０は、光源部１１１と、液晶パネル１１２Ａを備える光変調装置１１２（光変調部）と、投射光学系１１３とを備える。
【００１８】
光源部１１１は、キセノンランプや、超高圧水銀ランプ、ＬＥＤ（Light Emitting Diode）、レーザー等からなる光源を備える。光源部１１１は、光源が発した第１の光を光変調装置１１２に出射する。光源部１１１は、光源が発した第１の光を光変調装置１１２に導くリフレクター及び補助リフレクターを備えていてもよい。また、光源部１１１は、投射光の光学特性を高めるためのレンズ群や、偏光板、又は、光源が発した光の光量を光変調装置１１２に至る経路上で低減させる調光素子等（いずれも図示略）を備えるものであってもよい。
【００１９】
光変調装置１１２は、例えば、透過型の液晶パネル１１２Ａを備え、この液晶パネル１１２Ａに後述する画像処理系からの信号を受けて画像を形成する。この場合、光変調装置１１２は、カラーの投影を行うための、ＲＧＢの三原色に対応した３枚の液晶パネル１１２Ａを備え、光源部１１１からの第１の光はＲＧＢの三色の色光に分離され、各色光は対応する各液晶パネル１１２Ａに入射する。各液晶パネル１１２Ａを通過して変調された色光は、クロスダイクロイックプリズム等の合成光学系によって合成され、投射光学系１１３に出射される。すなわち、光変調装置１１２は、光源から出射された第１の光を変調し、投射光学系１１３に第１の光を変調した第２の光を出射する。
なお、光変調装置１１２は、透過型の液晶パネル１１２Ａを三枚用いた構成に限定されず、例えば三枚の反射型の液晶パネルを用いることも可能である。また、光変調装置１１２は、１枚の液晶パネルとカラーホイールを組み合わせた方式等により構成してもよい。ここで、光変調装置１１２として一枚のみの液晶パネル１１２Ａ又はＤＭＤ（Digital Mirror Device）を用いる場合には、クロスダイクロイックプリズム等の合成光学系に相当する部材は不要である。また、液晶パネル１１２Ａ及びＤＭＤ以外にも、光源部１１１が出射した第１の光を変調可能な構成であれば採用できる。
【００２０】
投射光学系１１３は、投射レンズ１１３Ａを備え、光変調装置１１２で変調された入射光（第２の光）を、投射レンズ１１３Ａを通じて投射開口部（不図示）から外に向けて放射し、スクリーンＳＣ上に投射画像を結像させる。投射光学系１１３は、投射レンズ１１３Ａを交換可能に構成される。投射レンズ１１３Ａは、通常の投射レンズである通常投射レンズ（第１の投射レンズ）、又は、通常投射レンズと異なる投射レンズ（第２の投射レンズ）である。通常投射レンズとは、プロジェクター１００の工場出荷時に、プロジェクター１００に装着される投射レンズである。通常投射レンズと異なる投射レンズは、例えば、通常投射レンズに対し画角値が異なる投射レンズであり、広角レンズ（第２の投射レンズ）や、望遠レンズ（第２の投射レンズ）等が挙げられる。また、通常投射レンズと異なる投射レンズは、例えば、投射画像のアスペクト比を変更するアナモフィックレンズや、短焦点レンズ等が挙げられる。
【００２１】
投射部１１０には、投射光学系駆動部１２１（レンズ駆動部）及び光源駆動部１２２が接続される。投射光学系駆動部１２１は、後述する制御部１３０の制御に従って、投射光学系１１３が備える各モーターを駆動させ、投射レンズ１１３Ａを駆動させる。また、投射光学系駆動部１２１は、検出部１２７を制御する。
【００２２】
検出部１２７は、投射光学系１１３が備える投射レンズ１１３Ａの種類を検出する。例えば、投射レンズ１１３Ａに投射レンズ１１３Ａの種類を示す種類情報を記憶するＩＣを備える場合、検出部１２７は、投射レンズ１１３Ａが備えるＩＣから当該種類情報を取得し、投射レンズ１１３Ａの種類を検出する。検出部１２７が取得する種類情報としては、投射レンズ１１３Ａの型番や、投射レンズ１１３Ａの種類を示す符号等が挙げられる。検出結果は、制御部１３０に出力される。なお、検出部１２７の検出方法は、一例であり、上述した方法に限定されない。
【００２３】
光源駆動部１２２は、制御部１３０の制御に従って、光源部１１１が備える光源を駆動する。
【００２４】
投射光学系駆動部１２１、及び、光源駆動部１２２は、バス１０５に接続される。
【００２５】
プロジェクター１００は、通信部１５６を備える。通信部１５６は、バス１０５に接続される。通信部１５６は、制御部１３０の制御に従って、外部の装置と通信規格に従って通信する。
【００２６】
プロジェクター１００の備える画像処理系は、プロジェクター１００全体を統合的に制御する制御部１３０を中心に構成され、その他、記憶部１５１、画像処理部１２５（画像情報処理部）、光変調装置駆動部１２３、入力処理部１５３を備える。制御部１３０、記憶部１５１、入力処理部１５３、画像処理部１２５、及び、光変調装置駆動部１２３は、それぞれバス１０５に接続される。
【００２７】
制御部１３０は、図示しないＣＰＵ（Central Processing Unit）、ＲＯＭ（Read Only Memory）、ＲＡＭ（Random Access Memory）等を備え、ＲＯＭに記憶した制御プログラムをＣＰＵにより実行して、プロジェクター１００を制御する。また、制御部１３０は、記憶部１５１に記憶された制御プログラムを読み出して実行することにより、後述する投射制御部１３１、通信制御部１３２、レンズタイプ取得部１３３、判別部１３４、入力受付部１３５、及び、設定部１３６として機能する。
【００２８】
記憶部１５１は、フラッシュメモリーや、ＥＥＰＲＯＭ（Electrically Erasable Programmable Read-Only Memory）等の不揮発性のメモリーで構成され、各種データを書き換え可能に不揮発的に記憶する。記憶部１５１は、プロジェクター１００の制御に使用される制御プログラムや、画像データ等を記憶する。
【００２９】
また、記憶部１５１は、投射レンズ１１３Ａの種類を示す種類情報１５１ａと、プロジェクター１００の動作を設定する際に使用するパラメーター１５１ｂとを対応付けて記憶する。パラメーター１５１ｂは、画像処理部１２５が画像データを処理する際に使用する画像パラメーターと、投射レンズ１１３Ａを駆動する際に使用するレンズパラメーターとを含む。
【００３０】
具体的には、記憶部１５１は、通常投射レンズを示す種類情報１５１ａと、通常投射レンズにおけるプロジェクター１００の動作を設定するパラメーター１５１ｂとを対応付けて記憶する。通常投射レンズにおけるプロジェクター１００の動作を設定するパラメーター１５１ｂは、通常投射レンズが装着されている場合に、画像処理部１２５が使用する画像パラメータ（第１のパラメーター）と、投射光学系駆動部１２１が使用するレンズパラメーターとを含む。
【００３１】
また、記憶部１５１は、通常投射レンズと異なる投射レンズ１１３Ａを示す種類情報１５１ａと、当該投射レンズ１１３Ａにおけるプロジェクター１００の動作を設定するパラメーター１５１ｂとを対応付けて記憶する。記憶部１５１が記憶する種類情報の数は、プロジェクター１００に使用可能な全ての投射レンズの種類の数でもよく、予めユーザーが設定した投射レンズの種類の数でもよい。通常投射レンズと異なる投射レンズ１１３Ａにおけるプロジェクター１００の動作を設定するパラメーターは、当該投射レンズ１１３Ａが装着されている場合に、画像処理部１２５が使用する画像パラメーター（第２のパラメーター）と、当該投射レンズ１１３Ａにおいて投射光学系駆動部１２１が使用するレンズパラメーターとを含む。例えば、記憶部１５１は、広角レンズを示す種類情報１５１ａと、広角レンズにおけるプロジェクター１００の動作を設定するパラメーター１５１ｂとを対応付けて記憶する。当該パラメーター１５１ｂは、広角レンズが装着されている場合に、画像処理部１２５が使用する画像パラメーター（第２のパラメーター）と、投射光学系駆動部１２１が使用するレンズパラメーターとを含む。また、例えば、記憶部１５１は、望遠レンズを示す種類情報１５１ａと、望遠レンズにおけるプロジェクター１００の動作を設定するパラメーター１５１ｂとを対応付けて記憶する。当該パラメーター１５１ｂは、望遠レンズが装着されている場合に、画像処理部１２５が使用する画像パラメーターと、投射光学系駆動部１２１が使用するレンズパラメーターとを含む。
【００３２】
画像処理部１２５は、Ｉ／Ｆ部１２４から入力される画像データを、光変調装置１１２の液晶パネル１１２Ａの仕様に適合した解像度のデータに変換する解像度変換処理等を実行する。画像処理部１２５は、光変調装置１１２により表示する表示用画像をフレームメモリー１２６に描画して、描画した表示用画像を光変調装置駆動部１２３に出力する。光変調装置駆動部１２３は、画像処理部１２５から入力した表示用画像に基づいて、光変調装置１１２を駆動する。これにより、光変調装置１１２の液晶パネル１１２Ａに画像が描画され、描画された画像が、投射光学系１１３を介してスクリーンＳＣに投射画像として投射される。
【００３３】
プロジェクター１００は、ユーザーが操作を行うための各種スイッチ、及び、インジケーターランプを備える操作パネル１５５を備える。操作パネル１５５は、入力処理部１５３に接続される。入力処理部１５３は、制御部１３０の制御に従って、プロジェクター１００の動作状態や設定状態に応じて操作パネル１５５のインジケーターランプを適宜点灯或いは点滅させる。操作パネル１５５のスイッチが操作されると、操作されたスイッチに対応する操作信号が入力処理部１５３から制御部１３０に出力される。
また、プロジェクター１００は、ユーザーが使用するリモコン（不図示）を有する。リモコンは、各種のボタンを備えており、これらのボタンの操作に対応して赤外線信号を送信する。プロジェクター１００は、リモコンが発する赤外線信号を受光するリモコン受光部１５４を備える。リモコン受光部１５４は、リモコンから受光した赤外線信号をデコードして、リモコンにおける操作内容を示す操作信号を生成し、制御部１３０に出力する。
【００３４】
次に、制御部１３０の備える投射制御部１３１、通信制御部１３２、レンズタイプ取得部１３３、判別部１３４、入力受付部１３５、及び、設定部１３６について説明する。
【００３５】
投射制御部１３１は、画像処理部１２５を制御して、Ｉ／Ｆ部１２４を介して供給される画像データに基づいてフレームメモリー１２６に画像を描画させる。また、投射制御部１３１は、画像処理部１２５を制御して、記憶部１５１が記憶する画像データに基づいてフレームメモリー１２６に画像を描画させる。投射制御部１３１は、光変調装置駆動部１２３を制御して、フレームメモリー１２６に描画された画像を光変調装置１１２の液晶パネル１１２Ａに描画させる。光変調装置１１２の液晶パネル１１２Ａに描画された画像は、投射光学系１１３を介してスクリーンＳＣ上に投射画像として投射される。
【００３６】
通信制御部１３２は、通信部１５６を制御して外部の装置と通信を行う。
【００３７】
レンズタイプ取得部１３３は、投射光学系駆動部１２１を制御して、検出部１２７により投射光学系１１３が備える投射レンズ１１３Ａの種類を取得する。レンズタイプ取得部１３３は、投射レンズ１１３Ａの種類を示す種類情報を検出部１２７から取得すると、取得した種類情報を判別部１３４に出力する。
【００３８】
判別部１３４は、レンズタイプ取得部１３３から入力された投射レンズ１１３Ａの種類を示す種類情報に基づいて、投射光学系１１３が備える投射レンズ１１３Ａが、通常投射レンズであるか、通常投射レンズと異なる投射レンズであるかを判別する。
【００３９】
入力受付部１３５は、入力処理部１５３を制御して、リモコンや操作パネル等の操作に基づき、投射レンズ１１３Ａが、通常投射レンズであることを示す情報、又は、通常投射レンズと異なる投射レンズであることを示す情報を含むレンズ情報の入力を受け付ける。レンズ情報の入力を受け付ける際、投射制御部１３１は、レンズ情報を受け付けるためのメニュー画面（後述）を投射部１１０により投射する。そして、入力受付部１３５は、メニュー画面に対するレンズ情報の入力を受け付ける。
【００４０】
設定部１３６は、記憶部１５１が記憶するパラメーター１５１ｂに基づき、画像処理部１２５が画像データを処理する際に使用する画像パラメーターを設定する。また、設定部１３６は、記憶部１５１が記憶するパラメーター１５１ｂに基づき、投射光学系駆動部１２１が投射レンズ１１３Ａを駆動する際に使用するレンズパラメーターを設定する。
【００４１】
前述した通り、投射光学系１１３は、投射レンズ１１３Ａを交換可能に構成される。プロジェクター１００は、装着された投射レンズ１１３Ａの種類に対応して、画像データを処理する際に使用する画像パラメーターを設定し、また、投射レンズ１１３Ａを駆動するレンズパラメーターを設定する。プロジェクター１００は、装着された投射レンズ１１３Ａの種類を取得する際、自動、若しくは、ユーザーの入力により投射レンズ１１３Ａの種類を取得する。しかしながら、自動で投射レンズ１１３Ａの種類を取得できない場合や、自動で投射レンズ１１３Ａの種類を取得できているにも係らずユーザーが手動で当該種類を入力した場合、適切な投射レンズ１１３Ａの種類が設定できない。そのため、プロジェクター１００は、装着された投射レンズ１１３Ａの種類に対応したパラメーターを設定できない可能性がある。
【００４２】
そこで、本実施形態のプロジェクター１００は、以下の動作を実行する。
【００４３】
図２は、プロジェクター１００の動作を示すフローチャートである。
【００４４】
プロジェクター１００の投射制御部１３１は、ユーザーに操作パネル１５５やリモコン等の操作により、光源部１１１が備える光源の点灯を指示されたか否かを判別する（ステップＳ１）。投射制御部１３１は、光源の点灯を指示されたと判別した場合（ステップＳ１：ＹＥＳ）、光源駆動部１２２を制御して、光源を点灯させる（ステップＳ２）。
【００４５】
次いで、レンズタイプ取得部１３３は、投射レンズ１１３Ａの種類の取得を開始する（ステップＳ３）。すなわち、レンズタイプ取得部１３３は、投射光学系駆動部１２１を制御して、検出部１２７により投射光学系１１３が備える投射レンズ１１３Ａの種類を取得する。投射レンズ１１３Ａが、投射レンズ１１３Ａの種類を示す種類情報を記憶するＩＣを備える場合、検出部１２７は、当該ＩＣから投射レンズ１１３Ａの種類情報を取得し、取得した種類情報をレンズタイプ取得部１３３に出力する。
【００４６】
次いで、判別部１３４は、レンズタイプ取得部１３３が検出部１２７から入力された情報に基づいて、投射レンズ１１３Ａの種類を判別できるか否かを判別する（ステップＳ４）。判別部１３４は、レンズタイプ取得部１３３が検出部１２７から取得した情報が、投射レンズ１１３Ａの種類情報である場合、投射レンズ１１３Ａの種類の判別が可能であると判別する。一方で、判別部１３４は、レンズタイプ取得部１３３が検出部１２７から取得した情報が、投射レンズ１１３Ａの種類情報を検出できないことを示す情報が入力された場合、投射レンズ１１３Ａの種類の判別が不可であると判別する。なお、判別部１３４は、図示しないタイマー等により、レンズタイプ取得部１３３が投射レンズ１１３Ａの種類情報の取得を開始してから所定の期間をカウントし、当該所定の期間内に、レンズタイプ取得部１３３が検出部１２７から種類情報を取得しない場合、投射レンズ１１３Ａの種類を判別が不可であると判別してもよい。
【００４７】
次いで、判別部１３４が投射レンズ１１３Ａの種類の判別が不可であると判別した場合（ステップＳ４：ＮＯ）、投射制御部１３１は、メニュー画面を投射する（ステップＳ５）。判別部１３４が投射レンズ１１３Ａの種類の判別が可能であると判別した場合については、後述する。
【００４８】
図３は、メニュー画面ＭＧの一例を示す図である。
【００４９】
図３に示すメニュー画面ＭＧは、タイプＡ〜タイプＧの７つの投射レンズ１１３Ａの種類情報１５１ａを表示する。メニュー画面ＭＧは、タイプＡ〜タイプＧの７つの種類情報１５１ａを、リモコンや操作パネル１５５等の操作により選択可能に表示する。これにより、ユーザーは、メニュー画面ＭＧが表示する種類情報１５１ａに対してリモコンや操作パネル１５５等での選択でき、プロジェクター１００に装着された投射レンズ１１３Ａが、選択された種類情報１５１ａが示す種類の投射レンズで有ることを示すレンズ情報を入力できる。
【００５０】
投射制御部１３１がメニュー画面ＭＧを投射すると、プロジェクター１００の入力受付部１３５は、ユーザーによる種類情報１５１ａの選択の操作を受け付ける。種類情報１５１ａに対して選択の操作がされると、入力受付部１３５は、投射レンズ１１３Ａが選択された種類情報１５１ａが示す種類の投射レンズであることを示すレンズ情報の入力を受け付ける。例えば、図３に示す複数の種類情報１５１ａのうち、ユーザーによって「タイプＡ」が選択された場合、入力受付部１３５は、装着された投射レンズ１１３Ａが、「タイプＡ」の種類の投射レンズであることを示すレンズ情報を受け付ける。
【００５１】
フローチャートの説明に戻り、入力受付部１３５は、レンズ情報を受け付けたか否かを判別する（ステップＳ６）。入力受付部１３５がレンズ情報を受け付けたと判別した場合（ステップＳ６：ＹＥＳ）、設定部１３６は、入力受付部１３５が受け付けたレンズ情報に基づいて、レンズ情報が示す投射レンズ１１３Ａの種類に対応するパラメーター１５１ｂを設定する（ステップＳ７）。
【００５２】
例えば、図３に示すメニュー画面ＭＧにおいて、ユーザーが「タイプＡ」を選択した場合、入力受付部１３５は、投射レンズ１１３Ａが「タイプＡ」の種類の投射レンズであることを示すレンズ情報を受け付ける。次いで、設定部１３６は、記憶部１５１が記憶する種類情報１５１ａを参照し、「タイプＡ」を示す種類情報１５１ａに対応するパラメーター１５１ｂを設定する。
【００５３】
ステップＳ６の説明に戻り、入力受付部１３５は、レンズ情報を受け付けていないと判別した場合（ステップＳ６：ＮＯ）、処理をステップＳ８に移行させる。入力受付部１３５は、ユーザーが、表示する種類情報１５１ａを選択しない状態で、メニュー画面ＭＧが有する「戻る」を示すボタンＢを選択した場合に、レンズ情報を受け付けていないと判別する。なお、入力受付部１３５は、図示しないタイマー等により、投射制御部１３１がメニュー画面ＭＧを投射してから所定の期間をカウントし、所定の期間内に、表示する種類情報１５１ａへユーザーによる選択の操作がない場合に、レンズ情報を受け付けていないと判別する構成でもよい。
【００５４】
次いで、入力受付部１３５がレンズ情報を受け付けていないと判別すると、設定部１３６は、前回に設定したパラメーター１５１ｂを設定する（ステップＳ８）。前回に設定したパラメーター１５１ｂとは、前回に取得した投射レンズ１１３Ａの種類に対応するパラメーター１５１ｂである。
【００５５】
ステップＳ４の説明に戻り、判別部１３４は、投射レンズ１１３Ａの種類の判別が可能であると判別した場合に（ステップＳ４：ＹＥＳ）、レンズタイプ取得部１３３が取得した投射レンズ１１３Ａの種類情報に基づき、装着された投射レンズ１１３Ａの種類を判別する（ステップＳ９）。例えば、判別部１３４は、プロジェクター１００に装着された投射レンズ１１３Ａについて、通常投射レンズの種類を示す種類情報をレンズタイプ取得部１３３から入力された場合、プロジェクター１００に装着される投射レンズ１１３Ａが通常投射レンズであると判別する。
【００５６】
次いで、設定部１３６は、判別部１３４の判別結果に基づく投射レンズ１１３Ａの種類に対応したパラメーター１５１ｂを設定する（ステップＳ１０）。例えば、プロジェクター１００に装着された投射レンズ１１３Ａが通常投射レンズであるとステップＳ９において判別部１３４が判別した場合、設定部１３６は、記憶部１５１が記憶する種類情報１５１ａを参照し、通常投射レンズを示す種類情報１５１ａに対応するパラメーター１５１ｂを設定する。
【００５７】
また、入力受付部１３５は、メニュー画面ＭＧに対するレンズ情報の入力を受け付けない（ステップＳ１０）。つまり、ユーザーの操作によって、メニュー画面ＭＧが投射された場合であっても、判別部１３４が判別できた場合、入力受付部１３５は、メニュー画面ＭＧをレンズ情報の入力受け付けない状態にする。具体的には、入力受付部１３５は、メニュー画面ＭＧにおいて種類情報１５１ａの選択の操作を受け付けない。また、この場合に、投射制御部１３１は、メニュー画面ＭＧをグレーアウトにする等、判別部１３４が投射レンズ１１３Ａの種類を判別できない場合に投射するメニュー画面ＭＧと異なる態様で投射する。
【００５８】
これによって、メニュー画面ＭＧに対するレンズ情報の入力を受け付けないため、自動で投射レンズ１１３Ａの種類を取得できたにも係らずユーザーがメニュー画面ＭＧを操作し、誤った投射レンズ１１３Ａの種類が設定するといった事態の発生を防止できる。また、メニュー画面ＭＧをグレーアウトするため、ユーザーに対して種類情報１５１ａの選択ができないことを報知でき、ユーザーが投射レンズ１１３Ａの種類を設定できないことを認識する蓋然性が高まる。
【００５９】
次いで、プロジェクター１００の制御部１３０は、投射レンズ１１３Ａの種類に対応したパラメーター１５１ｂを設定すると、プロジェクター１００の動作を指示されたか否かを判別する（ステップＳ１１）。ユーザーのリモコンや操作パネル１５５等の操作によりプロジェクター１００の動作を指示されたと判別した場合（ステップＳ１１：ＹＥＳ）、制御部１３０は、設定したパラメーター１５１ｂを使用し、指示された動作を実行する（ステップＳ１２）。
【００６０】
例えば、プロジェクター１００に通常投射レンズが装着された場合、設定部１３６は、通常投射レンズに対応するパラメーター１５１ｂを設定する。この場合において、ユーザーの操作により、台形の投射画像を適切な形に補正する台形補正の実行の指示があった場合、プロジェクター１００は、画像処理部１２５が画像データを処理する際に使用する画像パラメーターに基づいて台形補正を実行する。具体的には、画像パラメーターが台形補正に係る台形補正パラメーターを含み、画像処理部１２５は、画像データに対して台形補正パラメーターを使用して台形補正を実行する。
画像処理部１２５が画像データを処理して投射画像を適切な形に補正する補正として台形補正を例示したが、これに限定されず、湾曲する投射画像を適切な形に補正する湾曲補正でもよい。この場合、プロジェクター１００に装着された投射レンズ１１３Ａに対応するパラメーター１５１ｂが湾曲補正に係る湾曲補正パラメーターを含み、画像処理部１２５は、画像データに対して湾曲補正パラメーターを使用して湾曲補正を実行する。
【００６１】
また、例えば、プロジェクター１００に広角レンズが装着された場合、設定部１３６は、広角レンズに対応するパラメーター１５１ｂを設定する。この場合において、投射画像の投射位置を移動させるレンズシフトの実行の指示があった場合に、プロジェクター１００は、投射光学系駆動部１２１が投射レンズ１１３Ａを駆動する際に使用するレンズパラメーターに基づいてレンズシフトを実行する。具体的には、レンズパラメーターがレンズシフトに係るレンズシフトパラメーターを含み、投射光学系駆動部１２１は、レンズシフトパラメーターを使用して、広角レンズの位置を移動させ、レンズシフトを実行する。
投射光学系駆動部１２１が投射レンズ１１３Ａを駆動して投射画像を調整する調整として、レンズシフトを例示したが、レンズシフトに限定されず、ズームやフォーカス等でもよい。この場合、プロジェクター１００に装着された投射レンズ１１３Ａに対応するパラメーター１５１ｂがズームやフォーカス等に係るパラメーターを含み、投射光学系駆動部１２１は、ズームやフォーカス等に係るパラメーターを使用して、投射レンズ１１３Ａを駆動し、ズームやフォーカス等を実行する。
【００６２】
以上、説明したように、本実施形態のプロジェクター１００は、第１の光を出射する光源部１１１、及び、画像データ（画像情報）に応じて、第１の光を変調した第２の光を出射する光変調装置１１２（光変調部）を有し、投射レンズ１１３Ａを通じて、第２の光をスクリーンＳＣ（投射面）に投射する投射部１１０を有する。また、プロジェクター１００は、投射レンズ１１３Ａが、通常投射レンズ（第１の投射レンズ）であるか、通常投射レンズと異なる投射レンズ（第１の投射レンズとは異なる第２の投射レンズ）であるかを判別する判別部１３４を備える。また、プロジェクター１００は、投射レンズ１１３Ａが通常投射レンズであることを示す情報、又は、投射レンズ１１３Ａが通常投射レンズと異なる投射レンズであることを示す情報を含むレンズ情報の入力を受け付ける入力受付部１３５を備える。また、プロジェクター１００は、投射レンズ１１３Ａに対応して、プロジェクター１００の動作を設定する設定部１３６と、を備える。入力受付部１３５は、判別部１３４が判別できない場合に、レンズ情報の入力を受け付ける。
【００６３】
これにより、判別部１３４が投射レンズ１１３Ａの種類を判別できない場合に、レンズ情報の入力を受け付ける。そのため、投射レンズ１１３Ａの種類に対応して、プロジェクター１００の動作に関する設定を適切に行うことができる。
【００６４】
また、設定部１３６は、判別部１３４が投射レンズ１１３Ａの種類を判別できた場合、判別結果に基づいて設定を行い、判別部１３４が投射レンズ１１３Ａの種類を判別できない場合、入力受付部１３５が入力を受け付けたレンズ情報に基づいて設定する。
【００６５】
このように、設定部１３６は、判別部１３４が判別できた場合に判別結果に基づいて設定を行い、判別部１３４が投射レンズ１１３Ａの種類を判別できない場合にレンズ情報に基づいて設定を行う。そのため、設定部１３６は、判別部１３４の判別の可否に係らず、投射レンズ１１３Ａに対応して、プロジェクター１００の動作に関する設定を適切に行うことができる。
【００６６】
また、プロジェクター１００は、画像処理部１２５（画像情報処理部）を備える。画像処理部１２５は、投射レンズ１１３Ａに対応するパラメーター１５１ｂが含む画像パラメーターを使用して画像データを処理する。設定部１３６は、画像処理部１２５が使用する画像パラメーターを設定する。
【００６７】
このように、設定部１３６は、投射レンズ１１３Ａに対応して、画像処理部１２５が画像データを処理に使用する画像パラメーターを設定する。そのため、画像処理部１２５は、投射レンズ１１３Ａに対応した画像パラメーターによって、画像データを適切に処理できる。例えば、画像処理部１２５は、投射レンズ１１３Ａに対応した画像パラメーターを使用するため、投射レンズ１１３Ａに対応して、台形補正や湾曲補正等の投射画像の形の補正を実行できる。
【００６８】
また、プロジェクター１００は、パラメーター１５１ｂに従って、投射レンズ１１３Ａを駆動する投射光学系駆動部１２１（レンズ駆動部）を備える。設定部１３６は、投射レンズ１１３Ａの種類に対応して、投射光学系駆動部１２１の動作に係るパラメーターを設定する。
【００６９】
これにより、投射レンズ１１３Ａの種類に対応して、投射光学系駆動部１２１の動作に係るパラメーターを設定するため、投射レンズ１１３Ａの種類に対応して、投射レンズ１１３Ａを駆動できる。例えば、投射光学系駆動は、レンズシフトや、ズーム、フォーカス等において、投射レンズ１１３Ａの種類に対応して、投射レンズ１１３Ａを駆動できる。
【００７０】
また、入力受付部１３５は、判別部１３４が投射レンズ１１３Ａの種類を判別できない場合に、レンズ情報の入力を行うためのメニュー画面ＭＧを投射部１１０により投射させる。
【００７１】
これにより、メニュー画面ＭＧを投射部１１０により投射するため、判別部１３４が投射レンズ１１３Ａの種類を判別できない場合であっても、ユーザーによる入力により投射レンズ１１３Ａの種類を設定できる。
【００７２】
また、入力受付部１３５は、判別部１３４が投射レンズ１１３Ａの種類を判別した場合、メニュー画面ＭＧに対する入力を受け付けない。
【００７３】
これにより、投射レンズ１１３Ａの種類を判別した場合、メニュー画面ＭＧに対する入力を受け付けないため、自動で投射レンズ１１３Ａの種類を取得したにも係らずユーザーがメニュー画面ＭＧを操作し、誤った投射レンズ１１３Ａの種類が設定するといった事態の発生を防止できる。
【００７４】
なお、上述した実施形態、及び、変形例は、本発明の好適な実施形態の一例を示すものであり、本発明の要旨を逸脱しない範囲内において種々の変形実施が可能である。
【００７５】
例えば、上述した実施形態では、プロジェクター１００の判別部１３４が投射レンズ１１３Ａの種類を判別した場合、入力受付部１３５は、メニュー画面ＭＧに対する入力の操作を受け付けない構成を例示した。しかしながら、この構成に限定されず、メニュー画面ＭＧに遷移するための操作を受け付けない構成でもよい。
【００７６】
また、例えば、上述したプロジェクター１００は、スクリーンＳＣの前方から投射するフロントプロジェクション型のプロジェクターでもよく、スクリーンＳＣの背面側から投射するリアプロジェクション（背面投射）型のプロジェクターでもよい。
【００７７】
また、例えば、図２の処理単位は、プロジェクター１００の処理を理解容易にするために、主な処理内容に応じて分割したものであり、処理単位の分割の仕方や名称によって、本発明が限定されることはない。プロジェクター１００の処理は、処理内容に応じて、されに多くの処理単位に分割してもよい。また、１つの処理単位がさらに多くの処理を含むように分割してもよい。
【００７８】
また、図１に示した各機能部は機能的構成を示すものであって、具体的な実装形態は特に限定されない。つまり、必ずしも各機能部に個別に対応するハードウェアが実装される必要はなく、一つのプロセッサーがプログラムを実行することで複数の機能部の機能を実現する構成とすることも勿論可能である。また、上述した各実施形態においてソフトウェアで実現される機能の一部をハードウェアとしてもよく、或いは、ハードウェアで実現される機能の一部をハードウェアで実現してもよい。その他、プロジェクター１００の他の各部の具体的な細部構成についても、本発明の趣旨を逸脱しない範囲で任意に変更可能である。
【符号の説明】
【００７９】
１００…プロジェクター、１０５…バス、１１０…投射部、１１１…光源部、１１２…光変調装置（光変調部）、１１２Ａ…液晶パネル、１１３…投射光学系、１１３Ａ…投射レンズ、１２１…投射光学系駆動部、１２２…光源駆動部、１２３…光変調装置駆動部、１２４…Ｉ／Ｆ部、１２５…画像処理部（画像情報処理部）、１２６…フレームメモリー、１２７…検出部、１３０…制御部、１３１…投射制御部、１３２…通信制御部、１３３…レンズタイプ取得部、１３４…判別部、１３５…入力受付部、１３６…設定部、１３７…入力受付部、１５１…記憶部、１５１ａ…種類情報、１５１ｂ…パラメーター、１５３…入力処理部、１５４…リモコン受光部、１５５…操作パネル、１５６…通信部、ＳＣ…スクリーン。
【図１】
0006720549.tif 000002
【図２】
0006720549.tif 000003
【図３】
0006720549.tif 000004